(57)【要約】【課題】ＬＥＤの点灯用の電池の充電が可能とされた、実用性、装飾性に優れるアクセサリー等の装飾品を提供する。【解決手段】ＬＥＤ１７と、ＬＥＤ１７に点灯用電力を供給するとともに自身が充電可能である電池１５とが備えられてなることを特徴とする装飾品。。【選択図】図３
0003129538.tif 000002
【実用新案登録請求の範囲】
【請求項１】
ＬＥＤと、
前記ＬＥＤに点灯用電力を供給するとともに自身が充電可能である電池と、が備えられてなることを特徴とする装飾品。
【考案の詳細な説明】
【技術分野】
【０００１】  この考案は、ＬＥＤにより点灯するアクセサリ等の装飾品に関する。
【背景技術】
【０００２】  最近では種々の色に美しく点灯するＬＥＤが開発され、アクセサリー等においても装飾性を高めるべくそれらＬＥＤが広く用いられるようになっているおり、その場合、通常のものは小型電池を内蔵させてＬＥＤを点灯している。
【考案の開示】
【考案が解決しようとする課題】
【０００３】  しかしながら、上記のように電池で点灯させる構成では電池が小型であるので電池切れが早く、したがって通常の使い捨て電池を使用する場合はその取り替えに手間がかかるとともに、また、コスト高となる。【０００４】  この考案は、ＬＥＤの点灯用の電池の充電が可能とされた、実用性、装飾性に優れるアクセサリー等の装飾品を提供する。
【課題を解決するための手段】
【０００５】  この考案では、ＬＥＤと、前記ＬＥＤに点灯用電力を供給するとともに自身が充電可能である電池とが備えられてなることを特徴とする装飾品を提供する。【０００６】  上記構成の装飾品は、非使用時に電池が充電されることで、使用時には常にＬＥＤが点灯可能状態とされる。【０００７】  装飾品とは身に付けて装飾機能を発揮する全てのものを意味する。電池は装飾品に一体に固定されてもよく、また、着脱可能に設けられてもよい。
【考案の効果】
【０００８】  この考案によれば、ＬＥＤの点灯用の電池の充電がなされることで、ＬＥＤが常に安定して点灯する実用性、装飾性に優れるアクセサリー等の装飾品が得られる。
【考案を実施するための最良の形態】
【０００９】  図１はこの考案の装飾品であるアクセサリーの収納構造の実施形態の外観斜視図、図２は同じく収納品を取り出した状態の外観斜視図、図３は要部の断面図である。【００１０】  アクセサリー収納構造体１は、アクセサリー本体（装飾品）２及びその取り付け具３、４と、それらを収納するケース５とからなる。ケース５は従来のケースと同様に、アクセサリー本体２及びその取り付け具３、４が販売される際に一体に提供され、かつ、アクセサリー本体２及びその取り付け具３、４の非使用時にはそれらをその内部に収納するように用いられる。【００１１】  ケース５内には水平方向にプレート７が設けられ、、このプレート７表面の２ケ所の同形の円形凹部９それぞれに嵌入されてアクセサリー本体２それぞれが設置され、３ケ所の同形の円形凸部１１それぞれに外嵌されて取り付け具３、４が設置され、アクセサリー本体２、取り付け具３、４それぞれは取り外し可能とされている。【００１２】  アクセサリー本体２の下部には円形のマグネット片１３が設けられ、その上部に円形の充電されることが可能な電池１５が備えられ、その上面に電池１５により点灯されるＬＥＤ１７が装飾カバー１４で覆われる状態に設けられている。これに対してプレート７の円形凹部９それぞれの底面には鉄等の磁着性の金属板１８が敷設されており、マグネット片１３が金属板１８に磁着することでアクセサリー本体２は円形凹部９部分に安定支持されるようになっている。【００１３】  また、円形凹部９それぞれの周縁位置には一対の電極２０が形成されており、この電極２０はプレート７に形成される配線回路を介してプレート７の裏面側に取り付けられた充電器２２に接続されている。この充電器２２は自身が電池電源を備えている。アクセサリー本体２は下面のマグネット片１３の周縁位置に上記電極２０に対応し、かつ、電池１５に接続される一対の電極２５を備えており、これにより、アクセサリー本体２が円形凹部９に所定の方向に納められた場合は、それぞれの電極２０、２５が互いに接触することで電池１５が充電器２２により充電されるようになっている。【００１４】  プレート７の円形凸部１１のそれぞれはともに円形のマグネットよりなり、取り付け具３、４のそれぞれはともに磁着性の金属よりなることで、取り付け具３、４の外嵌めによる円形凸部１１への外嵌装着は安定して行われるようになっている。なお、円形凸部１１はアクセサリー本体２のマグネット片１３と同径とされている。【００１５】  以下、上記アクセサリー収納構造体１の動作、及び、使用について説明する。アクセサリー本体２及び取り付け具３、４は非使用時には図１に示す状態にケース５内に納められ、この状態では充電器２２によりアクセサリー本体２の電池１５の充電が継続してなされている。【００１６】  イヤリングを付ける場合には、２個のアクセサリー本体２と２個の取り付け具３のそれぞれをケース５から取り出し、図４に示すように、取り付け具３の円形凸部１１に外嵌めしていた部分をマグネット片１３に外嵌することで一体としてイヤリングを形成し、このイヤリングを通常のイヤリング同様に耳に装着する。装着されたイヤリングはアクセサリー本体２のＬＥＤ１７が点滅点灯し、そ��光が装飾カバー１４の通孔１９を通して外部に至り、夜間等の暗い環境ではその光が小さく輝きイヤリングの美しさを増大させる。【００１７】  ネックレスを付ける場合には、１個のアクセサリー本体２と取り付け具４とのそれぞれをケース５から取り出し、イヤリングの場合と同様に取り付け具４の円形凸部１１に外嵌めしていた部分をマグネット片１３に外嵌することで一体としてネックレス本体を形成し、その取り付け具４のリング４１部分に別途用意したチェーンを挿通取り付けしてネックレスを完成する。胸元に装着されたネックレスはアクセサリー本体２のＬＥＤが点滅点灯し、イヤリングと同様に美しく輝くものとなる。【００１８】  この実施形態では、アクセサリー本体２をそれぞれの取り付け具３、４と分離したことで、ＬＥＤ１７の点灯する部分ををイヤリング、ネックレスの両方に兼用できるようして無駄を省いている。また、上記実施例のものではＬＥＤ１７が常に点滅点灯する構成としているが、アクセサリー本体２にスイッチを設けることで所望時に点滅点灯するようにしてもよく、さらに、アクセサリー本体２に小型の変位感知スイッチを内蔵させることで、アクセサリーを装着した人の動きに合わせてＬＥＤ１７を点滅点灯させることもできる。【００１９】  図５は装飾品の第２の実施形態である髪どめの外観斜視図、図６はその要部拡大断面図である。【００２０】  髪どめ３０は、基台３１上に大きな３個の装飾片３２とそれらの間に配置される２個の球面の装飾片３３とのそれぞれが設けられ、その下側に髪どめ具３４が一体に取り付けられて構成されている。そして、基台３１上の装飾片３３の下面に相対する位置それぞれにＬＥＤ１７が取り付けられ、中央の装飾片３２の下方に電池１５が収納されている。電池１５は蓋３５を開くことで取り出して充電器により充電できるようになっている。３６はＬＥＤの点灯ボタンである。電池１５とＬＥＤ１７のそれぞれとは点灯ボタン３６を介して電気的に接続されている。【００２１】  上記のような構成により、充電された電池１５が収納された状態で点灯ボタン３６が押されることでＬＥＤ１７は点滅点灯し、その光が有色透明の球面の装飾片３３を通して外部に至って装飾性を高める。【００２２】  図７は装飾品の第３の実施形態である腕輪の外観斜視図である。環状の腕輪４０の外周面に沿ってＬＥＤ１７が所定の間隔で埋設配置され、内面に着脱可能に電池１５が収納されている。【００２３】  図８は装飾品の第４の実施形態である付け爪の充電時の外観斜視図、図９は付け爪の断面図である。【００２４】  付け爪５０の指先側には３個の星型の穴５１が設けられ、その内面位置それぞれにＬＥＤ１７のそれぞれが取り付けられている。また基部側の内面に電池１５が固定状態に取り付けられている。電池１５の充電は、図８に示すように、充電器６０の内部に充電端子６１が配置される開口６２部分に付け爪５０が立設されることにより行われ、この実施形態では同時に２個の付け爪５０における電池１５の充電が可能とされている。
【図面の簡単な説明】
【図１】  この考案の装飾品であるアクセサリーの収納構造の実施形態の外観斜視図
【図２】  この考案の装飾品であるアクセサリーの収納構造の実施形態の収納物を取り出した状態の外観斜視図
【図３】  この考案の装飾品であるアクセサリーの収納構造の実施形態の要部断面図
【図４】  この考案の装飾品であるアクセサリーの収納構造の実施形態のアクセサリー使用時の断面図
【図５】  この考案の装飾品である髪どめの実施形態の外観斜視図
【図６】  この考案の装飾品である髪どめの実施形態の要部拡大断面図
【図７】  この考案の装飾品である腕輪の実施形態の外観斜視図
【図８】  この考案の装飾品である付け爪の電池充電時の実施形態の外観斜視図
【図９】  この考案の装飾品である付け爪の断面図
【符号の説明】
１３  電池
１７  ＬＥＤ
【図１】
0003129538.tif 000003
【図２】
0003129538.tif 000004
【図３】
0003129538.tif 000005
【図４】
0003129538.tif 000006
【図５】
0003129538.tif 000007
【図６】
0003129538.tif 000008
【図７】
0003129538.tif 000009
【図８】
0003129538.tif 000010
【図９】
0003129538.tif 000011